(57)【要約】【課題】  複数のリムーバブルメディアに保存された膨大な数の静止画、画像、音楽等のファイルの中から所望のファイルを検索する際の時間及び労力を大幅に低減させる。【解決手段】  ＤＶＤ１３へのファイル保存を実行した後、記録紙Ｐの所定位置に切取線ＣＬを記録し、切取線ＣＬよりインデックスシートＤＳ側の記録面に当該ＤＶＤ１３へ保存した複数のファイルの縮小画像一覧及び当該ＤＶＤ１３に割り当てられたメディアＩＤを記録し、切取線ＣＬよりラベルシートＬＳ側の記録面に当該ＤＶＤ１３に割り当てられたメディアＩＤを記録する。ユーザは、記録後の記録紙Ｐを切取線ＣＬでインデックスシートＤＳとラベルシートＬＳとに分離し、インデックスシートＤＳはアルバム１１に綴じる等して保管し、ラベルシートＬＳは当該ＤＶＤ１３のケース１２に挿入するなどして当該ＤＶＤ１３に付しておく。【選択図】図６
2007216567.tif 000002
【特許請求の範囲】
【請求項１】
被記録材への記録を実行可能な記録実行手段と、
外部からファイルの入力が可能なファイル入力装置と、
リムーバブルメディアの読込及び書込が可能なリムーバブルメディアドライブと、
前記ファイル入力装置を介してのファイル入力制御、前記リムーバブルメディアドライブの制御及び前記記録実行手段による被記録材への記録制御を実行する制御手段とを備えた記録装置であって、
前記制御手段は、前記ファイル入力装置を介して入力した又は入力可能な状態にあるファイルのうち、ユーザが任意に選択した複数のファイルを前記リムーバブルメディアドライブで書込可能な状態にあるリムーバブルメディアへ保存する際には、リムーバブルメディアごとにユニークな識別情報を割り当て、
一の被記録材に対して、記録後にインデックスシートとラベルシートとに分離するための分離境界より前記インデックスシート側の記録面に当該リムーバブルメディアへ保存した複数のファイルのインデックス及び当該リムーバブルメディアの前記識別情報を記録するとともに、前記分離境界よりラベルシート側の記録面に当該リムーバブルメディアの前記識別情報を記録する、ことを特徴とした記録装置。
【請求項２】
請求項１において、前記制御手段は、一の被記録材に対して、前記インデックス及び前記識別情報の他、所定位置に前記分離境界を示す線を記録する、ことを特徴とした記録装置。
【請求項３】
請求項２において、前記制御手段は、前記分離境界よりラベルシート側の記録面に、当該リムーバブルメディアのケースの形状に適合して当該ケース内に挿入可能な形状のラベルシートを構成するように切取線及び折り曲げ線を記録するとともに当該ケース内に挿入したときに背ラベル部分となる位置に当該リムーバブルメディアの前記識別情報を記録する、ことを特徴とした記録装置。
【請求項４】
請求項１において、前記被記録材は、前記分離境界で切断可能な形状を有している、ことを特徴とした記録装置。
【請求項５】
請求項１において、前記被記録材は、前記ラベルシート部分がシール紙として分離可能な構成を有している、ことを特徴とした記録装置。
【請求項６】
請求項１〜５のいずれか１項において、前記制御手段は、一のリムーバブルメディアに対して前記インデックスシートが複数枚にわたる場合には、前記インデックスシートに各頁番号を記録する、ことを特徴とした記録装置。
【請求項７】
被記録材への記録を実行可能な記録実行手段と、
外部からファイルの入力が可能なファイル入力装置と、
リムーバブルメディアの読込及び書込が可能なリムーバブルメディアドライブと、
前記ファイル入力装置を介してのファイル入力制御、前記リムーバブルメディアドライブの制御及び前記記録実行手段による被記録材への記録制御を実行する制御手段とを備えた記録装置であって、
リムーバブルメディアのレーベル面に記録を実行可能な構成を有し、
前記制御手段は、前記ファイル入力装置を介して入力した又は入力可能な状態にあるファイルのうち、ユーザが任意に選択した複数のファイルを前記リムーバブルメディアドライブで書込可能な状態にあるリムーバブルメディアへ保存する際には、リムーバブルメディアごとにユニークな識別情報を割り当て、
当該リムーバブルメディアへ保存した複数のファイルのインデックス及び当該リムーバブルメディアの前記識別情報を被記録材へ記録してインデックスシートを作成した後、当該リムーバブルメディアのレーベル面に当該リムーバブルメディアの前記識別情報を記録する、ことを特徴とした記録装置。
【請求項８】
請求項１〜７のいずれか１項において、前記制御手段は、当該リムーバブルメディアへ保存した複数のファイルの各ファイルから取得した画像又はその縮小画像の一覧を被記録材に記録して前記インデックスシートを作成する、ことを特徴とした記録装置。
【発明の詳細な説明】
【技術分野】
【０００１】
本発明は、被記録材への記録を実行可能な記録実行手段と、外部からファイルの入力が可能なファイル入力装置と、リムーバブルメディアの読込及び書込が可能なリムーバブルメディアドライブとを備えた記録装置に関する。
【背景技術】
【０００２】
一般的に「リムーバブルメディア」と総称されるＭＯ、ＣＤ、ＤＶＤ、メモリカード等の装置から取り出して持ち運びが可能な記憶媒体は、その記憶容量が近年飛躍的に増加し、膨大な数のファイルを保存することが可能であるため、例えば、デジタルカメラで撮影したデジタル静止画ファイルやデジタル動画ファイルといったファイルサイズの大きなファイルを多数保存しておくことが手軽にできるようになりつつある。
【０００３】
ところが、デジタル静止画ファイルやデジタル動画ファイルは、ファイル名のみからその静止画又は動画の内容を把握できない場合も多いため、１つ１つファイルの画像展開又は動画再生を繰り返しながら探すとなると、多大な時間と労力を要することになる。さらに、複数の「リムーバブルメディア」のどれに所望のデジタル画像ファイルが保存されているかは、「リムーバブルメディア」の中身を１つ１つ順番に確認していかなければ分からないことも多い。そのため、「リムーバブルメディア」に保存されている多数のファイルの中から所望のファイルを探し出すのは容易な作業ではなかった。
【０００４】
このような課題を解決可能な従来技術の一例としては、例えば、静止画ファイルの静止画像を順次ＣＲＴ画面に表示する手段の他に、多数の静止画ファイルの静止画像をＣＲＴ画面に順番に高速で動画的に再生する高速上映手段を備えた画像検索装置が公知である。この画像検索装置によれば、大量の静止画ファイルの画像をＣＲＴ等の表示画面で確認しながら、大量の静止画ファイルの中から目的の画像を効率よく見つけ出すことができる（例えば、特許文献１を参照）。
【０００５】
また、複数の画像データが記憶されている複数の記憶媒体から目的の画像データが記憶されている記憶媒体を特定するためのインデックス情報と、これらの記憶媒体に保存されている全画像データのサムネイル画像データを記憶した検索専用の記憶媒体（インデックス画像用記憶媒体）とを作成し、この検索専用の記憶媒体を再生することで、目的の画像データが記憶されている記憶媒体を容易かつ迅速に検索することが可能な画像データ管理システムが公知である（例えば、特許文献２を参照）。
【０００６】
さらに、リムーバブルメディアに保存された複数のファイルのサムネイル画像及びそのリムーバブルメディアのボリュームラベルを装置本体のハードディスクに保存するとともに、そのリムーバブルメディアのボリュームラベルからバーコードのデータを生成し、そのバーコードをラベル印刷してそのリムーバブルメディア又はそのリムーバブルメディアのケースに貼りつけることができる画像表示装置が公知である。この画像表示装置は、装置本体に設けられた読取装置でリムーバブルメディアのバーコードを読み取ることで、そのリムーバブルメディアのボリュームラベルを取得できるので、そのボリュームラベルに対応するサムネイル画像一覧を装置本体のハードディスク内から検索して表示部に画面表示することで、そのリムーバブルメディアに保存されているファイルのサムネイル画像一覧を表示部に画面表示することができる、というものである（例えば、特許文献３を参照）。
【０００７】
さらに、記録紙に対してＣＤジャケットサイズの矩形の範囲内に、そのＣＤに保存されているファイルのサムネイル画像一覧を印刷する印刷方法が公知である。ユーザは、印刷後の用紙をＣＤジャケットサイズに切り取って、そのＣＤのケースに装着しておけば、そのＣＤジャケットのサムネイル画像を観ることで、そのＣＤに保存されている複数のファイルの概要を把握することができる（例えば、特許文献４を参照）。
【０００８】
【特許文献１】特開平１１−２５１０９号公報
【特許文献２】特開２００２−８４４７５号公報
【特許文献３】特開２００４−１７２８０４号公報
【特許文献４】特開２００５−３５０１４号公報
【発明の開示】
【発明が解決しようとする課題】
【０００９】
しかしながら、上記特許文献１に開示されている従来技術においては、所望の画像をＣＲＴ画面上で発見しても、その画像のファイルが複数のリムーバブルメディアのいずれかに保存されている場合には、複数のリムーバブルメディアを１つ１つドライブに装着して中身を確認しなければ、所望の画像のファイルがどのリムーバブルメディアに保存されているのかを特定することができないという課題がある。  
また、上記特許文献２に開示されている従来技術においては、ファイルが保存された記憶媒体（リムーバブルメディア）が増加する度に検索専用の記憶媒体を更新又は作り直さなければならないため煩わしく、また検索専用の記憶媒体の更新忘れ等により検索専用の記憶媒体による検索範囲に含まれない所在不明のファイルが生じてしまう虞がある。
【００１０】
さらに、上記特許文献３に開示されている従来技術においては、リムーバブルメディア又はそのケースに貼り付されたバーコードを読み取らなければ、そのリムーバブルメディアに保存されているファイルの概要を把握できない。したがって、バーコードの読取装置が不可欠であることに加えて、複数のリムーバブルメディアの中から所望のファイルを検索する際には、結局のところ複数のリムーバブルメディアのバーコードを１つ１つ読取装置で読み取る作業をその都度繰り返さなければならず、依然として検索に多大な時間と労力を要することになってしまう。  
さらに、上記特許文献４に開示されている従来技術においては、ＣＤジャケットサイズの用紙に印刷可能なサムネイル画像の数は限られるため、一定数以上のファイルが保存されたリムーバブルメディアには対応できないという課題が残る。
【００１１】
本発明は、このような状況に鑑み成されたものであり、その課題は、複数のリムーバブルメディアに保存された膨大な数の静止画、画像、音楽等のファイルの中から所望のファイルを検索する際の時間及び労力を大幅に低減させることにある。
【課題を解決するための手段】
【００１２】
上記課題を達成するため、本発明の第１の態様は、被記録材への記録を実行可能な記録実行手段と、外部からファイルの入力が可能なファイル入力装置と、リムーバブルメディアの読込及び書込が可能なリムーバブルメディアドライブと、前記ファイル入力装置を介してのファイル入力制御、前記リムーバブルメディアドライブの制御及び前記記録実行手段による被記録材への記録制御を実行する制御手段とを備えた記録装置であって、前記制御手段は、前記ファイル入力装置を介して入力した又は入力可能な状態にあるファイルのうち、ユーザが任意に選択した複数のファイルを前記リムーバブルメディアドライブで書込可能な状態にあるリムーバブルメディアへ保存する際には、リムーバブルメディアごとにユニークな識別情報を割り当て、一の被記録材に対して、記録後にインデックスシートとラベルシートとに分離するための分離境界より前記インデックスシート側の記録面に当該リムーバブルメディアへ保存した複数のファイルのインデックス及び当該リムーバブルメディアの前記識別情報を記録するとともに、前記分離境界よりラベルシート側の記録面に当該リムーバブルメディアの前記識別情報を記録する、ことを特徴とした記録装置である。
【００１３】
このように、ユーザが任意に選択した複数のファイルをリムーバブルメディアへ保存する際には、リムーバブルメディアごとにユニークな識別情報を割り当てる。それによって、その識別情報から、ユーザが任意に選択した複数のファイルを保存したリムーバブルメディアを特定することが可能になる。ここで「ファイル」とは、デジタル静止画ファイル、デジタル動画ファイル、デジタル音声ファイル等、一連の電子データのまとまりを意味するものである。
【００１４】
ユーザが任意に選択した複数のファイルをリムーバブルメディアへ保存する際には、一の被記録材にインデックスシートとラベルシートとを同時に記録し、記録後の当該被記録材をユーザが分離境界で切断等してインデックスシートとラベルシートとに分離する。保存された複数のファイルのインデックスがインデックスシートに記録されるとともに、インデックスシート及びラベルシートの双方に当該リムーバブルメディアに割り当てられたユニークな識別情報が記録される。
【００１５】
ユーザは、インデックスシートはアルバムに綴じる等して保管し、ラベルシートは当該リムーバブルメディアのケースに挿入するなどして当該リムーバブルメディアに付しておく。それによって、所望の画像等のファイルを検索する際には、ユーザは、インデックスシートに記録されているインデックスを観て所望のファイルを特定し、特定したファイルを含むインデックスシートに記録された識別情報と同じ識別情報のラベルシートが付されたリムーバブルメディアを探すことで、所望のファイルが保存されたリムーバブルメディアを特定することができる。
【００１６】
このように、ユーザが任意に選択した複数のファイルを保存したリムーバブルメディアに対応する検索用のインデックスシートと当該リムーバブルメディアを特定するためのラベルシートとの双方に共通のユニークな識別情報を付しておくことによって、ユーザは、複数のインデックスシートを観て所望のファイルを検索し、所望のファイルを特定した時点でその所望のファイルが含まれるインデックスシートに記録された識別情報を目印として、所望のファイルが保存されているリムーバブルメディアを特定することができる。すなわち、同じ識別情報が付されたリムーバブルメディアを特定すれば、複数のリムーバブルメディアの中身を１つ１つ実際に確認することなく、容易かつ迅速に所望のファイルが保存されているリムーバブルメディアを特定することができる。
【００１７】
これにより、本発明の第１の態様に記載の記録装置によれば、インデックスシート及びラベルシートに記録された共通のユニークな識別情報を目印に所望のファイルが保存されたリムーバブルメディアを容易かつ迅速に特定することができるので、複数のリムーバブルメディアに保存された膨大な数の静止画、画像、音楽等のファイルの中から所望のファイルを検索する際の時間及び労力を大幅に低減させることができるという作用効果が得られる。  
また、このインデックスシート及びラベルシートを一の被記録材に同時に記録するとともに双方に共通のユニークな識別情報を記録することによって、リムーバブルメディア毎にインデックスシートとラベルシートとのペアを作成する際に、インデックスシートとラベルシートとの取り違えや不一致が生ずることを防止できるので、インデックスシート及びラベルシートを作成する際のユーザの負担を大幅に軽減させることができるという作用効果が得られる。
【００１８】
本発明の第２の態様は、前述した第１の態様において、前記制御手段は、一の被記録材に対して、前記インデックス及び前記識別情報の他、所定位置に前記分離境界を示す線を記録する、ことを特徴とした記録装置である。  
このように、インデックスシートとラベルシートとの分離境界を示す線も記録することによって、記録後の被記録材を分離境界で切断してインデックスシートとラベルシートとに分離する際に正確な分離境界位置で切断することができる。したがって、複数のインデックスシートの大きさ及び形状を均一に揃えることができるとともに、各リムーバブルメディアに付されるラベルシートの大きさ及び形状を均一に揃えることができるので、複数のリムーバブルメディアを見映え良く整理整頓することができる。
【００１９】
本発明の第３の態様は、前述した第２の態様において、前記制御手段は、前記分離境界よりラベルシート側の記録面に、当該リムーバブルメディアのケースの形状に適合して当該ケース内に挿入可能な形状のラベルシートを構成するように切取線及び折り曲げ線を記録するとともに当該ケース内に挿入したときに背ラベル部分となる位置に当該リムーバブルメディアの前記識別情報を記録する、ことを特徴とした記録装置である。  
このように、ラベルシートをリムーバブルメディアのケースに適合した大きさ及び形状となるようにするとともに、ケース内にラベルシートを挿入した際にケースの背ラベル部分に識別情報が位置するようにする。それによって、例えば収納棚等に並べられた多数のリムーバブルメディアを１つ１つ取り出すことなくケースの背ラベル部分の識別情報から所望のファイルが保存されたリムーバブルメディアを特定することができる。したがって、複数のリムーバブルメディアの中から識別情報を目印に所望のファイルが保存されたリムーバブルメディアを特定する作業を、さらに容易かつ迅速に行うことが可能になる。
【００２０】
本発明の第４の態様は、前述した第１の態様において、前記被記録材は、前記分離境界で切断可能な形状を有している、ことを特徴とした記録装置である。  
このように、分離境界でインデックスシートとラベルシートとに切断可能な形状を有する専用の被記録材に記録を実行することによって、記録後の被記録材を分離境界で切断してインデックスシートとラベルシートとに分離する作業を容易かつ正確に行うことが可能になる。例えば、分離境界となる位置に予めミシン目が形成された被記録材に記録を実行すれば、記録後にユーザが手で簡単に切断してインデックスシートとラベルシートとに正確に分離することができる。
【００２１】
本発明の第５の態様は、前述した第１の態様において、前記被記録材は、前記ラベルシート部分がシール紙として分離可能な構成を有している、ことを特徴とした記録装置である。  
このように、ラベルシートとなる部分がシール紙として分離可能な専用の被記録材に記録することによって、記録後にラベルシート部分を被記録材から剥がしてリムーバブルメディアのケース等に貼り付けることができるので、記録後の被記録材を分離境界で分離してインデックスシートとラベルシートとに分離する作業を容易にすることができるとともに、ラベルシートをリムーバブルメディアのケース等に容易かつ確実に付すことができる。
【００２２】
本発明の第６の態様は、前述した第１の態様〜第５の態様のいずれかにおいて、前記制御手段は、一のリムーバブルメディアに対して前記インデックスシートが複数枚にわたる場合には、前記インデックスシートに各頁番号を記録する、ことを特徴とした記録装置である。  
このように、一のリムーバブルメディアに対してインデックスシートが複数枚にわたる場合には、インデックスシートに各頁番号を記録することによって、ユーザは、当該リムーバブルメディアに保存されているファイルの全体概要を正確かつ漏れなく把握することが容易になる。
【００２３】
本発明の第７の態様は、被記録材への記録を実行可能な記録実行手段と、外部からファイルの入力が可能なファイル入力装置と、リムーバブルメディアの読込及び書込が可能なリムーバブルメディアドライブと、前記ファイル入力装置を介してのファイル入力制御、前記リムーバブルメディアドライブの制御及び前記記録実行手段による被記録材への記録制御を実行する制御手段とを備えた記録装置であって、リムーバブルメディアのレーベル面に記録を実行可能な構成を有し、前記制御手段は、前記ファイル入力装置を介して入力した又は入力可能な状態にあるファイルのうち、ユーザが任意に選択した複数のファイルを前記リムーバブルメディアドライブで書込可能な状態にあるリムーバブルメディアへ保存する際には、リムーバブルメディアごとにユニークな識別情報を割り当て、当該リムーバブルメディアへ保存した複数のファイルのインデックス及び当該リムーバブルメディアの前記識別情報を被記録材へ記録してインデックスシートを作成した後、当該リムーバブルメディアのレーベル面に当該リムーバブルメディアの前記識別情報を記録する、ことを特徴とした記録装置である。
【００２４】
ユーザが任意に選択した複数のファイルをリムーバブルメディアへ保存する際には、リムーバブルメディアへ複数のファイルを保存した後、被記録材にインデックス及び当該リムーバブルメディアに割り当てたユニークな識別情報を記録してインデックスシートを作成し、引き続き当該リムーバブルメディアのレーベル面にその識別情報を記録する。ユーザは、インデックスシートはアルバムに綴じる等して保管しておく。尚、このリムーバブルメディアへのファイル保存とそのリムーバブルメディアのレーベル面の記録は、一連の記録制御手順の中で一体的に行われるようにするのが好ましく、それによって、同一識別情報の付されたインデックスシートの内容とリムーバブルメディアに保存されたファイルの内容とが不一致してしまうことをより確実に防止することができる。
【００２５】
このように、ユーザが任意に選択した複数のファイルを保存したリムーバブルメディアに対応する検索用のインデックスシートと当該リムーバブルメディアのレーベル面との双方に共通のユニークな識別情報を付しておくことによって、ユーザは、複数のインデックスシートを観て所望のファイルを検索し、所望のファイルを特定した時点でその所望のファイルが含まれるインデックスシートに記録された識別情報を目印として、所望のファイルが保存されているリムーバブルメディアを特定することができる。すなわち、同じ識別情報がレーベル面に記録されたリムーバブルメディアを特定すれば、複数のリムーバブルメディアの中身を１つ１つ実際に確認することなく、容易かつ迅速に所望のファイルが保存されているリムーバブルメディアを特定することができる。
【００２６】
これにより、本発明の第７の態様に記載の記録装置によれば、インデックスシート及びリムーバブルメディアのレーベル面に記録された共通のユニークな識別情報を目印に所望のファイルが保存されたリムーバブルメディアを容易かつ迅速に特定することができるので、複数のリムーバブルメディアに保存された膨大な数の静止画、画像、音楽等のファイルの中から所望のファイルを検索する際の時間及び労力を大幅に低減させることができるという作用効果が得られる。  
また、インデックスシートの作成後にリムーバブルメディアのレーベル面に共通のユニークな識別情報を記録することによって、インデックスシートとリムーバブルメディアとの取り違えや不一致を防止できるので、インデックスシートの作成及びリムーバブルメディアのレーベル面に識別情報を記録する際のユーザの負担を大幅に軽減させることができるという作用効果が得られる。
【００２７】
本発明の第８の態様は、前述した第１の態様〜第７の態様のいずれかにおいて、前記制御手段は、当該リムーバブルメディアへ保存した複数のファイルの各ファイルから取得した画像又はその縮小画像の一覧を被記録材に記録して前記インデックスシートを作成する、ことを特徴とした記録装置である。  
デジタル静止画ファイルやデジタル動画ファイル等のデジタルコンテンツは、ファイル名のみからその静止画又は動画の内容を把握できない場合も多いので、それらのファイルから取得したサムネイル画像等の一覧をインデックスとしてインデックスシートに記録することで、ユーザは、デジタルコンテンツの内容を視覚的に把握しながら所望のファイルを探すことができ、それによって、ユーザは、より効率的にインデックスシートから所望のファイルを探すことができるようになる。
【発明を実施するための最良の形態】
【００２８】
以下、本発明の実施の形態を図面に基づいて説明する。  
まず、本発明に係る「記録装置」の一例としてのインクジェット式記録装置の概略構成について説明する。
【００２９】
図１は、本発明に係るインクジェット式記録装置の要部平面図であり、図２はその側面図である。図３は、本発明に係るインクジェット式記録装置の概略のブロック図である。  
インクジェット式記録装置５０には、「被記録材」としての記録紙Ｐにインクを噴射して記録を実行する「記録実行手段」を備えており、記録ヘッド６２を記録紙Ｐに対して主走査方向Ｘに走査させる手段として、記録紙Ｐに対して主走査方向Ｘへ移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していない無端ベルトによるベルト伝達機構によって伝達されて主走査方向Ｘに往復動する。記録ヘッド６２のヘッド面と対向する位置には、後述する「被記録材搬送手段」により搬送される記録紙Ｐを摺接支持しつつ記録紙Ｐの記録面と記録ヘッド６２のヘッド面との間隔を所定間隔に規定するプラテン５２が設けられている。
【００３０】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００３１】
また、インクジェット式記録装置５０には、記録ヘッド６２を記録紙Ｐに対して副走査方向Ｙに走査させる如く記録紙Ｐを副走査方向Ｙへ搬送可能な「被記録材搬送手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、摩擦抵抗によって搬送駆動ローラ５３の外周面に密着し、搬送駆動ローラ５３の回転によって副走査方向に搬送される。
【００３２】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「被記録材搬送手段」へ自動給送する「自動給送手段」としてのＡＳＦ（オート・シート・フィーダ）が設けられている。ＡＳＦは、給紙トレイ５７に設けられた給紙ローラ５７ｂ及び図示してない分離パッドを有する公知の自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。
【００３３】
そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐが給紙される。その際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００３４】
一方、記録実行後の記録紙Ｐを排紙する手段として、排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。  
そして、給紙ローラ５７ｂや搬送駆動ローラ５３及び排紙駆動ローラ５５を回転駆動するＰＦモータ５８（図３）、並びにキャリッジ６１を主走査方向Ｘに駆動するＣＲモータ６３（図３）は、後述する記録制御部１００により駆動制御される。また、記録ヘッド６２も同様に、記録制御部１００により駆動制御されて記録紙Ｐの表面にインクを噴射する。記録制御部１００は、キャリッジ６１を主走査方向Ｘへ往復動させながら記録ヘッド６２から記録紙Ｐへインクを噴射してドットを形成する動作と、記録紙Ｐを副走査方向Ｙへ所定の搬送量で搬送する動作とを交互に繰り返しながら記録紙Ｐへの記録制御を実行する。
【００３５】
引き続き図１〜図３を参照しながら「制御手段」としての記録制御部１００について説明する。  
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、及びインクジェット式記録装置５０の電源をＯＮ／ＯＦＦするための電源スイッチ３５の出力信号が入力される。
【００３６】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
キャリッジ６１の移動方向及び移動量を特定可能な検出信号を出力する「キャリッジ移動検出手段」として公知のリニアエンコーダ３２は、キャリッジ６１の近傍に主走査方向Ｘと略平行に配置されたリニアスケール３２１と、リニアスケール３２１に等間隔に形成されているスリットを検出するキャリッジ６１に搭載されたリニアスケールセンサ３２２とを有している（図２）。キャリッジ６１の主走査方向Ｘの移動量に応じたパルスの周期が移動速度に伴い変化するリニアスケールセンサ３２２の出力信号は、ＡＳＩＣ１０３を介してＭＰＵ１０４へ出力される。
【００３７】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び搬送中の記録紙Ｐの終端位置を検出し、その検出信号は、ＡＳＩＣ１０３を介してＭＰＵ１０４へ出力される。  
「被記録材検出手段」としてのＰＷセンサ３４は、キャリッジ６１の記録紙Ｐの記録面と対向する部分に、プラテン５２の記録紙摺接面の光反射率と記録紙Ｐの記録面の光反射率との差からプラテン５２上にある記録紙Ｐの端部を非接触で検出可能な構成を有し、その検出信号は、ＡＳＩＣ１０３を介してＭＰＵ１０４へ出力される。
【００３８】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行するための演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。  
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。ＡＳＩＣ１０３は、「情報処理装置」としてのパーソナルコンピュータ３０１等との情報伝送を実現する「情報伝送手段」としてホストＩＦ１１２を有している。
【００３９】
図４は、記録制御部１００の要部の機能ブロック図である。  
本発明に係るインクジェット式記録装置５０は、外部からのファイル入力が可能な「ファイル入力装置」としてのメモリカードスロット３６と、「リムーバブルメディア」としてのＤＶＤ（Digital  Versatile  Disk）の読込及び書込が可能な「リムーバブルメディアドライブ」としてのＤＶＤドライブ３７と、アナログ音声信号を増幅するアンプ部３９と、アンプ部３９が出力する増幅後のアナログ音声信号を音声に変換する「拡声装置」としてのスピーカＳＰとを有している。尚、「ファイル入力装置」は、特にメモリカードスロット３６に限定されるものではなく、例えば、インターネット等のネットワーク経由でファイルを入力可能な手段をインクジェット式記録装置５０に設けても良い。
【００４０】
記録制御部１００は、機能ブロックとして、システム制御部１５１、記録実行手段制御部１５２、ファイルシステム１５３、静止画・動画制御部１５４、音声制御部１５５、ユニークＩＤ付与部１５６、情報記憶部１５７及びＵＩ制御部１５８を有している。  
記録実行手段制御部１５２は、記録実行手段による記録紙Ｐへの記録制御を実行する。ファイルシステム１５３は、メモリカードスロット３６を介してのファイル入出力制御及びＤＶＤドライブ３７の制御を実行する。静止画・動画制御部１５４は、圧縮されたデジタル静止画ファイルやデジタル動画ファイルの復号（デコード）を実行する。復号されたデジタル画像又はデジタル動画は、液晶ディスプレイ３８１で再生表示することができる。音声制御部１５５は、デジタル音声ファイルをデコード（復号）してデジタル音声信号を取得し、取得したデジタル音声信号をアナログ音声信号に変換するＤＡ（デジタル−アナログ）変換制御を実行する。ＤＡ変換されたアナログ音声信号は、アンプ部３９で増幅してスピーカＳＰで再生することができる。情報記憶部１５７には、後述するインベントリマスタテーブル等が保存される。ＵＩ（ユーザインタフェース）制御部１５８は、インクジェット式記録装置５０本体に設けられた「表示手段」としての液晶ディスプレイ３８１及び「操作入力手段」としての操作パネル３８２を有するユーザインタフェース手段３８の操作入力制御及び画面表示制御を実行する。
【００４１】
システム制御部１５１は、メモリカードスロット３６を介して入力した又は入力可能な状態にあるファイルのうち、ユーザインタフェース手段３８を介して任意に選択した複数のファイルをＤＶＤドライブ３７に挿入されて書込可能な状態にあるＤＶＤへ保存する操作をユーザが行うと、選択された複数のファイルをそのＤＶＤに保存する。また、その際にシステム制御部１５１は、そのＤＶＤにユニークな「識別情報」としてのメディアＩＤを割り当てる。このメディアＩＤは、ＩＤ付与部１５６で生成されて付与されるが、ユーザが任意に好みの文字列を設定することもできるようにしても良く、その場合、重複したメディアＩＤが使用されないようにＩＤ付与部１５６が管理するのが好ましい。
【００４２】
このように、ファイルを保存したＤＶＤにユニークなメディアＩＤを割り当てることによって、そのファイルを保存したＤＶＤをメディアＩＤから特定することが可能になる。そして、システム制御部１５１は、ＤＶＤへのファイル保存を実行した後、保存した複数のファイルのインデックスを記録紙Ｐに記録してインデックスシートを作成する。
【００４３】
以下、複数のインデックスシートの実施例を参照しながら説明する。  
図５は、インデックスシートの第１実施例を模式的に示した平面図である。図６は、本発明の第１実施例におけるインデックスシートの使用方法を説明するための図である。  
システム制御部１５１は、ＤＶＤ１３へのファイル保存を実行した後、記録紙Ｐの所定位置に「分離境界」を示す切取線ＣＬを記録し、切取線ＣＬよりインデックスシートＤＳ側の記録面に当該ＤＶＤ１３へ保存した複数のファイルの縮小画像一覧及び当該ＤＶＤ１３に割り当てられたメディアＩＤを記録し、切取線ＣＬよりラベルシートＬＳ側の記録面に当該ＤＶＤ１３に割り当てられたメディアＩＤを記録する（図５）。この縮小画像一覧は、当該ＤＶＤ１３へ保存した複数のファイルのインデックスであり、各ファイルから取得したサムネイル画像等の一覧である。各縮小画像のそれぞれにファイル名やディレクトリ名等を付して記録するのが好ましい。また、デジタル音楽ファイルについては、例えば、音楽ＣＤのジャケットの縮小画像に音楽ＣＤのタイトルやその音楽ファイルの曲名を付して記録しても良い。
【００４４】
このように、ユーザが任意に選択した複数のファイルをＤＶＤ１３へ保存する際には、１枚の記録紙ＰにインデックスシートＤＳとラベルシートＬＳとを同時に記録し、記録後の当該記録紙Ｐを切取線ＣＬで切断してインデックスシートＤＳとラベルシートＬＳとに分離する（図６を参照）。インデックスシートＤＳには、当該ＤＶＤ１３に保存された複数のファイルの縮小画像からなるインデックスが記録されており、インデックスシートＤＳ及びラベルシートＬＳの双方には、当該ＤＶＤ１３に割り当てられたユニークなメディアＩＤが記録されている。また、「分離境界」に切取線ＣＬを記録することで、記録後の記録紙Ｐを「分離境界」で切断してインデックスシートＤＳとラベルシートＬＳとに分離する際に正確な分離境界位置で切断することができるので、インデックスシートＤＳの大きさ及び形状を均一に揃えることができるとともに、ラベルシートＬＳの大きさ及び形状を均一に揃えることができる。
【００４５】
ユーザは、インデックスシートＤＳはアルバム１１に綴じる等して保管し、ラベルシートＬＳは当該ＤＶＤ１３のケース１２に挿入するなどして当該ＤＶＤ１３に付しておく（図６）。それによって、所望の画像等のファイルを検索する際には、ユーザは、インデックスシートＤＳに記録されている縮小画像一覧を観て所望のファイルを特定し、特定したファイルを含むインデックスシートＤＳに記録されたメディアＩＤと同じメディアＩＤのラベルシートＬＳが付されたケース１２に入っているＤＶＤ１３を探すことで、所望のファイルが保存されたＤＶＤ１３を特定することができる。
【００４６】
このように、ユーザが任意に選択した複数のファイルを保存したＤＶＤ１３に対応するインデックスシートＤＳと、そのＤＶＤ１３を特定するためのラベルシートＬＳとの双方に、共通のユニークなメディアＩＤを付しておく。それによって、ユーザは、複数のインデックスシートＤＳを観て所望のファイルを検索し、所望のファイルを特定した時点でその所望のファイルが含まれるインデックスシートＤＳに記録されたメディアＩＤを目印とすることができる。そして、同じメディアＩＤがケース１２に付されたＤＶＤ１３を特定すれば、複数のＤＶＤ１３の中身を１つ１つ実際に確認することなく、容易かつ迅速に所望のファイルが保存されているＤＶＤ１３を特定することができる。
【００４７】
このようにして、複数のリムーバブルメディア（ＤＶＤ１３等）に保存された膨大な数の静止画、画像、音楽等のファイルの中から所望のファイルを検索する際の時間及び労力を大幅に低減させることができる。また、このインデックスシートＤＳ及びラベルシートＬＳを一枚の記録紙Ｐに同時に記録するとともに、双方に共通のユニークなメディアＩＤを記録することによって、インデックスシートＤＳとラベルシートＬＳとの取り違えや不一致を防止できるので、インデックスシートＤＳ及びラベルシートＬＳを作成する際のユーザの負担を大幅に軽減させることができる。
【００４８】
図７は、インデックスシートの第２実施例を模式的に示した平面図である。  
第２実施例は、記録紙Ｐが異なる以外は第１実施例と同様である。当該実施例における記録紙Ｐは、ラベルシートＬＳ部分がシール紙として分離可能な構成を有している。このように、ラベルシートＬＳとなる部分がシール紙として分離可能な専用の記録紙Ｐに記録することによって、記録後にラベルシートＬＳ部分を記録紙Ｐから剥がしてＤＶＤ１３のケース１２等に貼り付けることができるので、記録後の記録紙Ｐを分離境界で分離してインデックスシートＤＳとラベルシートＬＳとに分離する作業を容易にすることができるとともに、ラベルシートＬＳをＤＶＤ１３のケース１２等に容易かつ確実に付すことができる。
【００４９】
図８は、インデックスシートの第３実施例を模式的に示した平面図である。  
第３実施例は、第１実施例又は第２実施例に加えて、システム制御部１５１は、一のＤＶＤ１３に対してインデックスシートＤＳが複数枚にわたる場合には、インデックスシートＤＳに各頁番号ＰＮを記録するものである。このように、一のＤＶＤ１３に対してインデックスシートＤＳが複数枚にわたる場合には、インデックスシートＤＳに各頁番号を記録することによって、ユーザは、当該ＤＶＤ１３に保存されている全てのファイルの概要を正確かつ漏れなく把握することが容易になる。頁番号は、例えば総頁数が７頁であり、当該頁が２頁目である場合には、図示如くメディアＩＤの近くに「２／７」というように記録すると、当該ＤＶＤ１３に保存されている全ファイルの概要をより正確かつ漏れなく把握することができる。  
尚、インデックスシートＤＳが複数頁にわたる場合であってもラベルシートＬＳは１枚しか必要ないので、図８に図示した如く２頁目以降のラベルシート部分にはメディアＩＤの記録を実行しないようにしても良い。
【００５０】
図９は、インデックスシートの第４実施例を模式的に示した平面図である。図１０は、本発明の第４実施例におけるインデックスシートの使用方法を説明するための図である。  
第４実施例は、第１実施例に加えて、システム制御部１５１は、「分離境界」よりラベルシートＬＳ側の記録面に、当該ＤＶＤ１３のケース１２の形状に適合して当該ケース１２内に挿入可能な形状のラベルシートＬＳを構成するように切取線ＣＬ及び折り曲げ線ＢＬを記録するとともに当該ケース１２内に挿入したときに背ラベル部分となる部分Ｂに当該ＤＶＤ１３のメディアＩＤを記録するものである。
【００５１】
ユーザが任意に選択した複数のファイルをＤＶＤ１３へ保存する際には、１枚の記録紙ＰにインデックスシートＤＳとラベルシートＬＳとを同時に記録し、記録後の当該記録紙Ｐを切取線ＣＬで切断してインデックスシートＤＳとラベルシートＬＳとに分離する（図１０を参照）。インデックスシートＤＳには、当該ＤＶＤ１３に保存された複数のファイルの縮小画像からなるインデックスが記録されており、インデックスシートＤＳ及びラベルシートＬＳの双方には、当該ＤＶＤ１３に割り当てられたユニークなメディアＩＤが記録されている。ユーザは、インデックスシートＤＳはアルバム１１に綴じる等して保管する。一方、ラベルシートＬＳは、当該ＤＶＤ１３のケース１２の形状に適合してケース１２内に挿入できるように、図示の如く折り曲げ線ＢＬで折り曲げる。そして、メディアＩＤが記録された部分Ｂがケース１２の背ラベル部分に位置するようにラベルシートＬＳをケース１２内に挿入する（図１０）。
【００５２】
このように、ユーザが任意に選択した複数のファイルを保存したＤＶＤ１３に対応するインデックスシートＤＳと、そのＤＶＤ１３を特定するためのラベルシートＬＳとの双方に、共通のユニークなメディアＩＤを付しておくことによって、ユーザは、複数のインデックスシートＤＳを観て所望のファイルを検索し、所望のファイルを特定した時点でその所望のファイルが含まれるインデックスシートＤＳに記録されたメディアＩＤを目印とすることができる。そして、所望の画像等のファイルを検索する際には、ユーザは、インデックスシートＤＳに記録されている縮小画像一覧を観て所望のファイルを特定し、特定したファイルを含むインデックスシートＤＳに記録されたメディアＩＤと同じメディアＩＤがケース１２の背ラベル部分に表示されているＤＶＤ１３を探せば良い。すなわち、例えば収納棚等に並べられた多数のＤＶＤ１３を１つ１つ取り出すことなくケース１２の背ラベル部分のメディアＩＤから所望のファイルが保存されたリムーバブルメディアを特定することができる。したがって、複数のＤＶＤ１３の中からメディアＩＤを目印に所望のファイルが保存されたＤＶＤ１３を特定する作業をさらに容易かつ迅速に行うことが可能になる。
【００５３】
図１１は、インデックスシートの第５実施例を模式的に示した平面図である。  
第５実施例におけるインクジェット式記録装置５０は、公知のいわゆるＣＤ／ＤＶＤレーベル印刷機能を備えた記録装置の一例として、記録後の記録紙Ｐが排紙される側から副走査方向Ｙと逆方向へ手差し挿入したディスクトレイ（図示せず）に対して記録紙Ｐと同様に記録を実行して、ディスクトレイに装着されたＤＶＤ等のディスク型リムーバブルメディアのレーベル面に記録を実行可能な構成を有している。
【００５４】
第５実施例におけるシステム制御部１５１は、第１実施例〜第４実施例と異なり、ＤＶＤ１３へのファイル保存を実行した後、記録紙Ｐの記録面に当該ＤＶＤ１３へ保存した複数のファイルの縮小画像一覧、当該ＤＶＤ１３に割り当てられたメディアＩＤ及び頁番号ＰＮを記録し、ラベルシート部分の記録は実行しない。そして、当該ＤＶＤ１３のインデックスシートＤＳの全頁を作成した後、そのまま続けてＣＤ／ＤＶＤレーベル印刷機能により図示の如くＤＶＤ１３のレーベル面にメディアＩＤを記録する。
【００５５】
図１２は、第５実施例における記録制御部１００の記録制御手順を示したフローチャートである。  
まず、ＤＶＤ１３へのファイル保存を実行した後（ステップＳ１）、当該ＤＶＤ１３のインデックスシートＤＳの全頁を作成する（ステップＳ２）。つづいて、液晶ディスプレイ３８１（図４）に「レーベル印刷を実行します。ファイル保存後のＣＤ／ＤＶＤをディスクトレイにセットして下さい。」といった内容の表示をして、ＣＤ／ＤＶＤレーベル印刷機能によりファイル保存後のＤＶＤ１３のレーベル面への記録が可能な状態にするようにユーザに案内する（ステップＳ３）。そして、ユーザがＤＶＤ１３を装着したディスクトレイをインクジェット式記録装置５０にセットして記録実行ボタン（図示せず）等を操作した時点で、ＤＶＤ１３のレーベル面へのメディアＩＤの記録を実行する（ステップＳ４）。
【００５６】
このように、ユーザが任意に選択した複数のファイルを保存したＤＶＤ１３に対応するインデックスシートＤＳと、そのＤＶＤ１３のレーベル面との双方に、共通のユニークなメディアＩＤを記録しておく。それによって、ユーザは、複数のインデックスシートＤＳを観て所望のファイルを検索し、所望のファイルを特定した時点でその所望のファイルが含まれるインデックスシートＤＳに記録されたメディアＩＤを目印とすることができる。そして、同じメディアＩＤがレーベル面に記録されたＤＶＤ１３を特定すれば、複数のＤＶＤ１３の中身を１つ１つ実際に確認することなく、容易かつ迅速に所望のファイルが保存されているＤＶＤ１３を特定することができる。
【００５７】
このようにして、複数のリムーバブルメディア（ＤＶＤ１３等）に保存された膨大な数の静止画、画像、音楽等のファイルの中から所望のファイルを検索する際の時間及び労力を大幅に低減させることができる。また、インデックスシートＤＳの作成後に、そのまま続けてＤＶＤ１３のレーベル面に共通のユニークなメディアＩＤを記録する一連の手順によって、インデックスシートＤＳとＤＶＤ１３との取り違えや不一致を防止できるので、インデックスシートＤＳの作成及びＤＶＤ１３のレーベル面にメディアＩＤを記録する際のユーザの負担を大幅に軽減させることができる。
【００５８】
また、本発明の他の実施例としては、上記第１実施例〜第５実施例に加えて、記録制御部１００の情報記憶部１５７（図４）でインベントリマスタテーブルを記憶するようにしても良い。このインベントリマスタテーブルは、例えば目録に相当するテーブルデータであり、情報記憶部１５７によって不揮発性メモリ１０５（図３）に記憶されるとともに、新規又は追加でＤＶＤ１３へのファイル保存がユーザによって行われる度に、そのファイル保存内容に応じて随時更新される。
【００５９】
図１３は、インベントリマスタテーブルの一例を図示したものである。  
インベントリマスタテーブルのファイルの欄には、過去に複数のＤＶＤ１３に保存したファイルのファイル名及びＤＶＤ１３上の保存先ディレクトリ名が全て記憶されている。また、インベントリマスタテーブルには、各ファイル名に対応する情報として、ダイジェストとメディアＩＤが記憶されている。ダイジェストは、例えば、デジタル画像ファイルのサムネイル画像、元のデジタル動画ファイルの一部（例えば、５秒程度の長さ）を取り出してサイズも縮小したデジタル動画ファイル或いは元のデジタル音楽ファイルの一部（例えば、５秒程度の長さ）を取り出したデジタル音楽ファイル等、ファイルサイズの極めて小さいプレビュー用のファイルである。メディアＩＤは、上述したようにＩＤ付与部１５６により生成及び管理されるが、ユーザが任意に好みの文字列を設定することもできるようにしても良い。
【００６０】
例えば、ユーザは、このインベントリマスタテーブルを液晶ディスプレイ３８１（図４）に表示させ、操作パネル３８２（図４）を操作することによって、各ファイル名に対応するダイジェストの内容を観たり聴いたりして各ファイルの概要を確認しながら所望のファイルを検索することができる。そして、所望のファイルを特定した時点で、液晶ディスプレイ３８１でインベントリマスタテーブルを参照して所望のファイルのメディアＩＤを特定し、同じメディアＩＤが付されたＤＶＤ１３を探すことで、複数のＤＶＤ１３の中身を１つ１つ実際に確認することなく、容易かつ迅速に所望のファイルが保存されているＤＶＤ１３を特定することができる。
【００６１】
このように、上記第１実施例〜第５実施例に加えて、インクジェット式記録装置５０の内部にインベントリマスタテーブルを記憶して保持するようにすれば、インデックスシートＤＳを観ながら所望のファイルが保存されたＤＶＤ１３を特定することに加えて、インクジェット式記録装置５０の液晶ディスプレイ３８１でファイルのダイジェストを観たり聴いたりしながら所望のファイルが保存されたＤＶＤ１３を特定することもできるようになる。それによって、例えば、作成したインデックスシートＤＳを紛失してしまった場合にも所望のファイルを容易かつ迅速に探し出すことができるとともに、作成したインデックスシートＤＳを紛失してしまった場合にインベントリマスタテーブルからインデックスシートＤＳを再作成するといったことも可能になる。
【００６２】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６３】
【図１】本発明に係るインクジェット式記録装置の概略の平面図である。
【図２】本発明に係るインクジェット式記録装置の概略の側面図である。
【図３】本発明に係るインクジェット式記録装置の概略のブロック図である。
【図４】記録制御部の要部の機能ブロック図である。
【図５】インデックスシートの第１実施例を模式的に示した平面図である。
【図６】第１実施例におけるインデックスシートの使用方法の説明図である。
【図７】インデックスシートの第２実施例を模式的に示した平面図である。
【図８】インデックスシートの第３実施例を模式的に示した平面図である。
【図９】インデックスシートの第４実施例を模式的に示した平面図である。
【図１０】第４実施例におけるインデックスシートの使用方法の説明図である。
【図１１】インデックスシートの第５実施例を模式的に示した平面図である。
【図１２】第５実施例における記録制御手順を示したフローチャートである。
【図１３】インベントリマスタテーブルの一例を図示したものである。
【符号の説明】
【００６４】
１２  ＤＶＤケース、１３  ＤＶＤ、３６  メモリカードスロット、３７  ＤＶＤドライブ、３８  ユーザインタフェース手段、５０  インクジェット式記録装置、１００  記録制御部、１０１  ＲＯＭ、１０２  ＲＡＭ、１０３  ＡＳＩＣ、１０４  ＭＰＵ、１０５  不揮発性メモリ、ＤＳ  インデックスシート、ＬＳ  ラベルシート、Ｐ  記録紙
【図１】
2007216567.tif 000003
【図２】
2007216567.tif 000004
【図３】
2007216567.tif 000005
【図４】
2007216567.tif 000006
【図５】
2007216567.tif 000007
【図６】
2007216567.tif 000008
【図７】
2007216567.tif 000009
【図８】
2007216567.tif 000010
【図９】
2007216567.tif 000011
【図１０】
2007216567.tif 000012
【図１１】
2007216567.tif 000013
【図１２】
2007216567.tif 000014
【図１３】
2007216567.tif 000015